Podtech/llm-jp-corpus-v4-ja_patent huggingface dataset:
【手続補正書】
【提出日】平成22年9月8日(2010.9.8)
【手続補正１】
【補正対象書類名】明細書
【補正対象項目名】発明の名称
【補正方法】変更
【補正の内容】
【発明の名称】半導体装置の作製方法
【手続補正２】
【補正対象書類名】特許請求の範囲
【補正対象項目名】全文
【補正方法】変更
【補正の内容】
【特許請求の範囲】
【請求項１】
基板上に剥離層を形成し、
前記剥離層上に、トランジスタと、第１の電極層、前記第１の電極層上の有機化合物を含む層、及び前記有機化合物を含む層上の第２の電極層を有する記憶素子と、アンテナとを有する素子層を形成し、
前記剥離層において前記基板から前記素子層を分離し、
前記第２の電極層として、１０ａｔｏｍｓ％以下のスズを含むスズ及び銀の合金層を用いることを特徴とする半導体装置の作製方法。
【請求項２】
基板上に剥離層を形成し、
前記剥離層上に、トランジスタと、第１の電極層、前記第１の電極層上の有機化合物を含む層、及び前記有機化合物を含む層上の第２の電極層を有する記憶素子と、アンテナとを有する素子層を形成し、
前記剥離層において前記基板から前記素子層を分離し、
前記第１の電極層または前記第２の電極層として、スズを含む合金層を用いることを特徴とする半導体装置の作製方法。
【請求項３】
請求項１または請求項２において、前記剥離層において前記基板から前記素子層を分離した後、可撓性を有する第１の基板及び可撓性を有する第２の基板を用いて前記素子層を封止することを特徴とする半導体装置の作製方法。
【手続補正書】
【提出日】平成22年2月9日(2010.2.9)
【手続補正１】
【補正対象書類名】明細書
【補正対象項目名】００３２
【補正方法】変更
【補正の内容】
【００３２】
また、本実施形態においては、導電性樹脂２の硬度が、絶縁樹脂４の硬度と比較して高くなっている。導電性樹脂及び絶縁樹脂の材料としては、例えば、図４に示す材料が用いられる。絶縁樹脂としては、エポキシテクノロジー（Ｅｐｏｘｙ  Ｔｅｃｈｎｏｌｏｇｙ）社製のエポテック３１０（ＥＰＯ−ＴＥＫ３１０）、エポテック３０１−２ＦＬ（ＥＰＯ−ＴＥＫ３０１−２ＦＬ）、エポテック３３０（ＥＰＯ−ＴＥＫ３３０）等のエポキシ系樹脂を用いることができる。一方、導電性樹脂としては、同じエポキシテクノロジー社製のＨ２０Ｓ、Ｈ２０Ｅ等の導電ペーストを用いることができる。
【手続補正２】
【補正対象書類名】明細書
【補正対象項目名】００４０
【補正方法】変更
【補正の内容】
【００４０】
第２の工程において、図５Ｂに示すように、積層構造体２０の主面に、バッキング材３に達する複数の溝１７が、アジマス方向（図１におけるＹ軸方向）に形成される。これにより、積層構造体２０が、Ｙ軸方向に長い複数の振動子１'に分割される。
【手続補正３】
【補正対象書類名】明細書
【補正対象項目名】００４４
【補正方法】変更
【補正の内容】
【００４４】
さらに、共通電極層２１上に、少なくとも１層の音響整合層が形成され、音響整合層が形成された積層構造体２０の主面に、バッキング材３に達する複数の溝が、第１の方向と異なる第２の方向（例えば、エレベーション方向（図１におけるＸ軸方向））に形成される。これにより、図１に示すように、Ｘ軸方向に並ぶ複数の振動子１を含む各々の振動子群１０が形成される。その後、電極層への配線が行われ、音響レンズ７が取り付けられて、図２に示す超音波探触子が完成する。
【手続補正４】
【補正対象書類名】明細書
【補正対象項目名】００５８
【補正方法】変更
【補正の内容】
【００５８】
図８において、１つの振動子群１０の長さ（エレベーション方向）は５．０ｍｍであり、幅（アジマス方向）は０．１１ｍｍ（１１０μｍ）であり、高さは０．３ｍｍ（３００μｍ）である。また、導電性樹脂２ａ〜２ｃ及び絶縁樹脂４の配列ピッチは５５０μｍであり、下部電極層１１における１つの電極の長さは２５０μｍであり、上部電極層１４における１つの電極の長さは２００μｍである。側面電極１６ａ及び１６ｂの各々は、クロム（Ｃｒ）と金（Ａｕ）との２層構造を有しており、トータルの厚さは４５０ｎｍ程度である。
【手続補正書】
【提出日】平成22年2月9日(2010.2.9)
【手続補正１】
【補正対象書類名】明細書
【補正対象項目名】０００４
【補正方法】変更
【補正の内容】
【０００４】
特許文献２，３には、手撒作業を支援するために、表示器、ＬＥＤランプ等の案内手段を設けた構成が提案されている。しかし、この種の案内手段を採用すると、入力された処方箋に示された服用時期等の情報に基づいた電気信号の処理を伴う比較的複雑な制御が必要となるため、コストが増大する。
【特許文献１】特開平１０−３２３３８２号公報
【特許文献２】特許第２８６６５４３号
【特許文献３】特開２００４−２０３４３３号公報
【特許文献４】特開２００４−１１５０５９号公報
【特許文献５】特開２００４−８３０９７号公報
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
遊技球が飛翔する遊技球飛翔領域を備えた遊技機本体と、
遊技が実行される領域に設けられるとともに第１識別情報を変化表示する第１識別情報表示手段と、
遊技が実行される領域に設けられるとともに第２識別情報を変化表示する第２識別情報表示手段と、
前記遊技球飛翔領域に設けられた第１作動口を遊技球が通過した場合、情報を取得する第１情報取得手段と、
前記遊技球飛翔領域に設けられた第２作動口を遊技球が通過した場合、情報を取得する第２情報取得手段と、
前記各情報取得手段の取得した情報を用いて当たり外れの判定を行う判定手段と、
前記判定手段の判定結果に基づいて前記第１識別情報又は前記第２識別情報の変化表示を行うとともに、前記第１情報取得手段の取得した情報を用いた判定結果が当たりの場合には第１特定識別情報を前記第１識別情報表示手段に最終停止表示するように、前記第２情報取得手段の取得した情報を用いた判定結果が当たりの場合には第２特定識別情報を前記第２識別情報表示手段に最終停止表示するように、対応する識別情報表示手段を表示制御する識別情報制御手段と、
前記判定手段の判定結果が当たりであって前記第１特定識別情報又は前記第２特定識別情報を最終停止表示した場合、遊技状態を通常遊技状態より遊技者に有利な特別遊技状態に移行させる特別遊技状態移行手段と
を備えた遊技機において、
少なくとも所定の遊技状態において、前記第２作動口を遊技球が通過することを、前記第１作動口を遊技球が通過することより困難なものとする障害部材と、
前記第１情報取得手段の取得した情報を規定数を上限として保留記憶する第１保留記憶手段と、
前記第２情報取得手段の取得した情報を保留記憶する第２保留記憶手段と
を設け、
前記識別情報制御手段を、一方の識別情報の変化表示を行っている場合には他方の識別情報の変化表示を行わない構成とするとともに、前記各保留記憶手段に保留記憶されている情報のうち最初に保留記憶された情報に基づいて対応する識別情報の変化表示を行う構成とし、
さらに、
前記第１保留記憶手段と前記第２保留記憶手段の少なくとも一方が前記情報を保留記憶している場合、これら保留記憶手段の保留記憶数の総和を示唆すべく保留記憶状況を表示する保留状況表示手段を設け、
前記保留状況表示手段は、前記第１保留記憶手段が前記情報を保留記憶していない場合であっても前記第１保留記憶手段の保留記憶可能な最大保留記憶数が前記規定数であることを示唆する最大保留記憶数示唆手段と、前記各保留記憶手段が共に前記情報を保留記憶している場合、これら保留記憶手段の保留記憶した順序を示唆すべく前記保留記憶状況を表示する順序示唆手段とを備えることを特徴とする遊技機。
【請求項２】
前記保留状況表示手段は、前記第１保留記憶手段が前記情報を保留記憶した場合に第１保留情報を表示し、最大で前記規定数の第１保留情報を表示できる大きさを有する第１表示領域と、前記第２保留記憶手段が前記情報を保留記憶した場合に第２保留情報を表示する第２表示領域とを別個に備え、前記第１表示領域の外縁部に少なくとも前記第２表示領域と区画されていることを示す区画情報を表示することを特徴とする請求項１に記載の遊技機。
【請求項３】
前記保留状況表示手段は、前記第１保留記憶手段が前記情報を保留記憶した場合に第１保留情報を表示する第１表示領域と、前記第２保留記憶手段が前記情報を保留記憶した場合に第２保留情報を表示する第２表示領域とを別個に備え、前記第１表示領域を前記規定数有するとともに、前記各第１表示領域の外縁部に当該第１表示領域を示唆する領域情報をそれぞれ表示することを特徴とする請求項１に記載の遊技機。
【請求項４】
前記第１保留情報を所定方向に並べて表示できるように前記第１表示領域を形成するとともに、前記第２保留情報を前記第１保留情報の表示される各位置から前記所定方向と交差する方向に並べて表示できるように前記第２表示領域を形成したことを特徴とする請求項２又は請求項３に記載の遊技機。
【請求項５】
前記保留記憶状況を表示させるべく前記保留状況表示手段を表示制御する表示制御手段を備え、
前記表示制御手段は、
前記第１保留記憶手段の保留記憶数が増加した場合に前記第１保留情報が所定の第１向きに増加するよう、前記第１保留記憶手段の保留記憶数と前記第１保留情報の表示位置との対応関係を記憶する対応関係記憶手段と、
前記第１保留記憶手段が前記情報を保留記憶した場合、前記第１保留記憶手段の保留記憶数と対応する表示位置に前記第１保留情報を表示させるべく前記保留状況表示手段を表示制御する第１表示制御手段と、
前記第２保留記憶手段が前記情報を保留記憶した場合、前記第１保留記憶手段の保留記憶数を把握する保留記憶数把握手段と、
前記保留記憶数把握手段が前記第１保留記憶手段の保留記憶数を把握した場合、当該把握結果と対応する前記第１保留情報の表示位置から前記第１向きと交差する第２向きに前記第２保留情報を表示させるべく前記保留状況表示手段を表示制御する第２表示制御手段と
を備えることを特徴とする請求項４に記載の遊技機。
【請求項６】
前記表示制御手段は、前記第１保留記憶手段の保留記憶数が減少した場合、前記第１保留情報が前記第１向きと逆向きに減少するように、且つ、前記第２保留情報が減少することなく前記第１向きと逆向きに移動するように前記各保留情報を表示させるべく前記保留状況表示手段を表示制御する第３表示制御手段を備えることを特徴とする請求項５に記載の遊技機。
【請求項７】
前記保留状況表示手段は、一方の識別情報の変化表示が行われている場合に第３表示情報を表示する第３表示領域を、前記第１表示領域及び前記第２表示領域と別個に備え、前記第２表示制御手段は、前記保留記憶数把握手段が前記第１保留記憶手段の保留記憶数を０と把握した場合、前記第３表示情報の表示位置から前記第１向きと交差する第３向きに前記第２保留情報を表示させるべく前記保留状況表示手段を表示制御することを特徴とする請求項５又は請求項６に記載の遊技機。
【請求項８】
前記第３表示領域を、前記第１表示領域のうち前記第１保留情報が最初に表示される側に、前記第１表示領域と前記所定方向に並ぶように設けたことを特徴とする請求項７に記載の遊技機。
【請求項９】
前記表示制御手段は、前記第２保留記憶手段の保留記憶数が減少した場合、前記第３表示情報の表示位置から前記第３向きに表示されている第２保留情報が前記第３向きと逆向きに減少するように、且つ、前記第１保留情報及び当該第１保留情報の表示位置から前記第３向きに表示されている第２保留情報の表示位置が維持されるように前記各保留情報を表示させるべく前記保留状況表示手段を表示制御する第４表示制御手段を備えることを特徴とする請求項７又は請求項８に記載の遊技機。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
表示画面上にて複数の絵柄群が変動表示されるように絵柄を変動表示させる絵柄表示装置と、
所定の判定を行う判定手段と、
前記判定手段の判定結果に基づいて、前記各絵柄群の絵柄を最終停止表示させるまでの変動表示時間を決定する変動表示時間決定手段と、
前記変動表示時間決定手段の決定した変動表示時間内で前記各絵柄群の変動表示を終了させるとともに、前記判定手段の判定結果が第１結果である場合には第１特定絵柄の組み合わせを最終停止表示させ得るように、前記判定手段の判定結果が第２結果である場合には第２特定絵柄の組み合わせを最終停止表示させるように前記絵柄表示装置を表示制御する表示制御手段と、
前記判定手段の判定結果が前記第１結果又は前記第２結果であって、前記変動表示時間決定手段の決定した変動表示時間を経過した場合、遊技状態を通常状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備えた遊技機において、
前記第１特定絵柄の組み合わせ又は前記第２特定絵柄の組み合わせを最終停止表示させる前段階として、前記第１特定絵柄の組み合わせを構成する第１待機絵柄と前記第２特定絵柄の組み合わせを構成する第２待機絵柄とのうち一方の待機絵柄が前記表示画面上に停止表示されるように規定絵柄群を除く他の絵柄群の変動表示を終了させ、その後に前記規定絵柄群の変動表示を終了させる第１待機変動表示を行わせるよう前記絵柄表示装置を表示制御する第１待機変動表示手段と、
前記第１特定絵柄の組み合わせ又は前記第２特定絵柄の組み合わせを最終停止表示させる前段階として、前記第１待機絵柄と前記第２待機絵柄が共に前記表示画面上に停止表示されるように前記規定絵柄群を除く他の絵柄群の変動表示を終了させ、その後に前記規定絵柄群の変動表示を終了させる第２待機変動表示を行わせるよう前記絵柄表示装置を表示制御する第２待機変動表示手段と、
前記判定手段の判定結果が前記第１結果又は前記第２結果であることに基づいて、前記第１待機変動表示と前記第２待機変動表示のいずれを行わせるかを決定する待機変動決定手段と
を備え、
前記待機変動決定手段は、遊技状態が前記特定遊技状態である場合、遊技状態が前記特定遊技状態でない場合と比して高い割合で前記第２待機変動表示を行わせると決定することを特徴とする遊技機。
【請求項２】
前記待機変動決定手段は、遊技状態が前記特定遊技状態である場合に前記判定手段の判定結果が前記第２結果となった場合、遊技状態が前記特定遊技状態でない場合に前記判定手段の判定結果が前記第２結果となった場合と比して高い割合で前記第２待機変動表示を行わせると決定することを特徴とする請求項１に記載の遊技機。
【請求項３】
前記待機変動決定手段は、遊技状態が前記特定遊技状態である場合に前記判定手段の判定結果が前記第２結果となった場合、前記第２待機変動表示を行わせると決定することを特徴とする請求項１又は請求項２に記載の遊技機。
【請求項４】
遊技状態が前記特定遊技状態である場合に前記判定手段の判定結果が前記第１結果となった場合、遊技状態が前記特定遊技状態でない場合に前記判定手段の判定結果が前記第１結果となった場合と比して高い割合で前記第２待機変動表示を行わせると決定することを特徴とする請求項１乃至請求項３のいずれかに記載の遊技機。
【請求項５】
前記第２待機変動表示手段は、遊技状態が前記特定遊技状態である場合に前記判定手段の判定結果が前記第２結果となった場合、第１有効ラインに前記第１待機絵柄が停止表示されると共に第２有効ラインに前記第２待機絵柄が停止表示されるように前記規定絵柄群を除く他の絵柄群の変動表示を終了させ、前記規定絵柄群を、前記他の絵柄群の変動表示の終了後に前記第１待機絵柄と第１特定絵柄の組み合わせを構成する第１絵柄が前記第１有効ラインを通過するように、且つ前記第１絵柄が前記第１有効ラインを通過した後に前記第２待機絵柄と第２特定絵柄の組み合わせを構成する第２絵柄が前記第２有効ラインに最終停止表示されるように変動表示させることを特徴とする請求項１乃至請求項４のいずれかに記載の遊技機。
【請求項６】
前記判定手段の判定結果に基づいて前記表示画面上に最終停止表示させる停止絵柄を決定する絵柄種別決定手段を備え、
前記絵柄種別決定手段は、
前記判定手段の判定結果が前記第１結果である場合、前記停止絵柄を前記第１特定絵柄の組み合わせ又は前記第２特定絵柄の組み合わせと決定する第１決定手段と、
前記判定手段の判定結果が前記第２結果である場合、前記停止絵柄を前記第２特定絵柄の組み合わせと決定する第２決定手段と
を備えることを特徴とする請求項１乃至請求項５のいずれかに記載の遊技機。
【請求項７】
前記第１決定手段は、前記停止絵柄を前記第１特定絵柄の組み合わせと決定する第１停止絵柄決定手段と、現在の遊技状態に基づいて前記停止絵柄を前記第１絵柄決定手段の決定結果から前記第２特定絵柄の組み合わせに変更し得る停止絵柄変更手段とを備えることを特徴とする請求項６に記載の遊技機。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
表示画面上にて複数の絵柄群が変動表示されるように絵柄を変動表示する絵柄表示装置と、
遊技を統括管理する主制御手段と、
該主制御手段の配下で前記絵柄表示装置を表示制御する従制御手段と
を備え、
前記主制御手段は、
通常状態より遊技者に有利な特別遊技状態に移行させるか否かの判定を行う判定手段と、
前記判定手段の判定結果に基づいて、前記各絵柄群の絵柄を最終停止表示させるまでの変動表示時間を決定する変動表示時間決定手段と、
前記判定手段の判定結果が前記特別遊技状態に移行させる結果であって、前記変動表示時間決定手段の決定した変動表示時間を経過した場合、遊技状態を前記特別遊技状態に移行させる特別遊技状態移行手段と
を備え、
前記従制御手段は、前記変動表示時間決定手段の決定した変動表示時間内で前記各絵柄群の変動表示を終了させるように、且つ、前記判定手段の判定結果が前記特別遊技状態に移行させる結果である場合、特定絵柄の組み合わせを前記表示画面に最終停止表示させるように前記絵柄表示装置を表示制御する遊技機において、
前記主制御手段は、
前記判定手段の判定結果に基づいて前記表示画面上に最終停止表示させる絵柄種別を決定する絵柄種別決定手段と、
前記絵柄種別決定手段の決定結果を示す絵柄種別コマンドを前記従制御手段に対して送信する絵柄種別コマンド送信手段と、
前記変動表示時間決定手段の決定結果を示す変動表示時間コマンドを前記従制御手段に対して送信する変動表示時間コマンド送信手段と
を備え、
前記変動表示時間決定手段を、前記絵柄種別決定手段の決定結果に基づいて前記変動表示時間を決定するとともに、少なくとも前記絵柄を所定変動パターンで変動表示させる場合、前記各絵柄群のうち最後に変動表示が終了する規定絵柄群の停止絵柄に応じた変動表示時間を決定する構成とし、
前記従制御手段は、前記絵柄種別コマンド及び前記変動表示時間コマンドを受信した場合、前記絵柄種別コマンドの示す絵柄種別と対応する絵柄の組み合わせが最終停止表示されるよう前記各絵柄群の停止絵柄を決定する停止絵柄決定手段を備えることを特徴とする遊技機。
【請求項２】
前記主制御手段は、前記判定手段の判定結果に基づいて前記絵柄を変動表示させる変動パターンを決定する変動パターン決定手段と、前記変動パターン決定手段が変動パターンを前記所定変動パターンと決定した場合に前記変動表示時間決定手段の決定し得る変動表示時間を予め定めた変動表示時間情報群を記憶する記憶手段とを備えることを特徴とする請求項１に記載の遊技機。
【請求項３】
前記記憶手段は、前記変動表示時間情報群を複数記憶し、前記変動表示時間決定手段は、前記複数の変動表示時間情報群のうち前記絵柄種別決定手段の決定結果と対応する変動表示時間情報群を用いて前記変動表示時間を決定することを特徴とする請求項２に記載の遊技機。
【請求項４】
前記主制御手段は、前記判定手段の判定結果に基づいて前記絵柄を変動表示させる変動パターンを決定する変動パターン決定手段と、前記変動パターン決定手段が変動パターンを前記所定変動パターンと決定した場合に前記規定絵柄群の停止絵柄を決定する規定停止絵柄決定手段とを備え、前記変動表示時間決定手段は、前記規定停止絵柄決定手段の決定結果から前記変動表示時間を導出することを特徴とする請求項１に記載の遊技機。
【請求項５】
前記停止絵柄決定手段は、前記絵柄を前記所定変動パターンで変動表示させる場合に前記変動表示時間コマンドの示す変動表示時間から前記規定絵柄群の停止絵柄を決定する第１手段と、前記絵柄を前記所定変動パターンで変動表示させる場合に前記絵柄種別コマンドの示す絵柄種別及び前記第１手段の決定結果から他の絵柄群の停止絵柄を決定する第２手段とを備えることを特徴とする請求項１乃至請求項４のいずれかに記載の遊技機。
【請求項６】
前記第１手段は、前記変動表示時間コマンドの示す変動表示時間を所定の算出式に代入し、得られた値から前記規定絵柄群の停止絵柄を導出することを特徴とする請求項５に記載の遊技機。
【請求項７】
前記従制御手段は、前記変動表示時間コマンドの示す変動表示時間と前記規定絵柄群の停止絵柄との対応関係を示す停止絵柄情報群を備え、前記第１手段は、前記停止絵柄情報群を用いて前記規定絵柄群の停止絵柄を導出することを特徴とする請求項５に記載の遊技機。
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
遊技機前方に開放された筐体と、
遊技に関する各種制御を実施する主制御装置、及び遊技に際し絵柄を変動表示する絵柄表示装置を有しそれら主制御装置及び絵柄変動表示装置をユニット本体内に搭載した表示ユニットと、
前記筐体内に設けられ、同筐体内にて前記ユニット本体を移動可能に支持する支持部材とを備え、
前記ユニット本体が前記支持部材に接触した状態で前記表示ユニットが前記筐体の奥側に移動することにより、同表示ユニットが前記筐体に装着されるようにした遊技機において、
前記表示ユニットの前記筐体への装着に際し表示ユニットが装着完了位置まで移動する区間に、前記ユニット本体とそれに接触する前記支持部材又は他の筐体側接触部材との間に摩擦抵抗を生じる低摩擦区間と、前記低摩擦区間で生じる摩擦抵抗よりも大きい摩擦抵抗を生じる高摩擦区間とを、前記低摩擦区間が手前側、前記高摩擦区間が奥側となるように設けたことを特徴とする遊技機。
【請求項２】
前記低摩擦区間と前記高摩擦区間とを連続して設けたことを特徴とする請求項１に記載の遊技機。
【請求項３】
前記支持部材を、前記表示ユニットの前記筐体への装着に際し同表示ユニットが装着完了位置まで移動する区間で前記ユニット本体に接触する構成とし、
前記支持部材と前記ユニット本体との間に生じる摩擦抵抗が高低相異するようにして前記低摩擦区間と前記高摩擦区間とを設けたことを特徴とする請求項１又は請求項２に記載の遊技機。
【請求項４】
前記支持部材又は前記ユニット本体のいずれか一方は、他方が接触する接触面を有し、
前記支持部材又は前記ユニット本体の他方は、前記接触面に対して面接触する面接触部材と、所定の軸線を中心として前記表示ユニットの装着方向に回動可能に設けられ、前記軸線方向から見て前記接触面に点接触するローラとを有し、
前記低摩擦区間では、前記接触面と前記ローラとが接触するとともに、同接触面と前記面接触部材とが離間し、
前記高摩擦区間では、前記接触面と前記面接触部材とが接触するとともに、同接触面と前記ローラとが離間するように構成したことを特徴とする請求項３に記載の遊技機。
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
遊技客によって獲得された遊技媒体数を遊技媒体残高として管理する管理装置と、前記遊技客が利用する端末装置との間で遊技媒体を利用した景品交換サービスを仲介する交換仲介装置を有する景品交換システムであって、
前記交換仲介装置は、
前記管理装置から前記遊技媒体残高を取得する遊技媒体残高取得手段と、
前記遊技媒体残高取得手段によって取得された遊技媒体残高に対して所定の範囲内で交換可能な景品のうち所定の抽出条件を満たすものを交換候補リストとして抽出する交換候補リスト抽出手段と、
前記交換候補リスト抽出手段によって抽出された交換候補リストを前記端末装置に提示するリスト提示手段と
を備えたことを特徴とする景品交換システム。
【請求項２】
前記交換候補リスト抽出手段は、前記交換候補リストとして遊技に関連する景品を優先的に抽出することを特徴とする請求項１に記載の景品交換システム。
【請求項３】
前記交換仲介装置又は前記管理装置は、
遊技店の会員ごとに当該会員が遊技を行った遊技機種を遊技履歴として蓄積する遊技履歴蓄積手段をさらに備え、
前記交換候補リスト抽出手段は、前記交換候補リストとして、前記遊技履歴蓄積手段に遊技履歴として蓄積された遊技機種と関連する景品を優先的に抽出することを特徴とする請求項２に記載の景品交換システム。
【請求項４】
前記交換候補リスト抽出手段は、前記遊技媒体残高取得手段によって取得された遊技媒体残高を超える景品をさらに抽出し、
前記リスト提示手段は、前記交換候補リスト抽出手段によって抽出された交換候補リストとともに、前記遊技媒体残高を超える景品及びその超過数を提示することを特徴とする請求項１、２または３に記載の景品交換システム。
【請求項５】
遊技客によって獲得された遊技媒体数を遊技媒体残高として管理する管理装置と、前記遊技客が利用する端末装置との間で遊技媒体を利用した景品交換サービスを仲介する交換仲介装置を有する景品交換システムに用いる景品交換方法であって、
前記交換仲介装置が、
前記管理装置から前記遊技媒体残高を取得する遊技媒体残高取得工程と、
前記遊技媒体残高取得工程によって取得された遊技媒体残高に対して所定の範囲内で交換可能な景品のうち所定の抽出条件を満たすものを交換候補リストとして抽出する交換候補リスト抽出工程と、
前記交換候補リスト抽出工程によって抽出された交換候補リストを前記端末装置に提示するリスト提示工程と
を含んだことを特徴とする景品交換方法。
【手続補正２】
【補正対象書類名】明細書
【補正対象項目名】００１０
【補正方法】変更
【補正の内容】
【００１０】
上述した課題を解決し、目的を達成するために、本発明に係る景品交換システムは、遊技客によって獲得された遊技媒体数を遊技媒体残高として管理する管理装置と、前記遊技客が利用する端末装置との間で遊技媒体を利用した景品交換サービスを仲介する交換仲介装置を有する景品交換システムであって、前記交換仲介装置は、前記管理装置から前記遊技媒体残高を取得する遊技媒体残高取得手段と、前記遊技媒体残高取得手段によって取得された遊技媒体残高に対して所定の範囲内で交換可能な景品のうち所定の抽出条件を満たすものを交換候補リストとして抽出する交換候補リスト抽出手段と、前記交換候補リスト抽出手段によって抽出された交換候補リストを前記端末装置に提示するリスト提示手段とを備えたことを特徴とする。
【手続補正３】
【補正対象書類名】明細書
【補正対象項目名】００１２
【補正方法】変更
【補正の内容】
【００１２】
また、本発明に係る景品交換システムは、前記交換仲介装置又は前記管理装置は、遊技店の会員ごとに当該会員が遊技を行った遊技機種を遊技履歴として蓄積する遊技履歴蓄積手段をさらに備え、前記交換候補リスト抽出手段は、前記交換候補リストとして、前記遊技履歴蓄積手段に遊技履歴として蓄積された遊技機種と関連する景品を優先的に抽出することを特徴とする。
【手続補正４】
【補正対象書類名】明細書
【補正対象項目名】００１３
【補正方法】変更
【補正の内容】
【００１３】
また、本発明に係る景品交換システムは、前記交換候補リスト抽出手段は、前記遊技媒体残高取得手段によって取得された遊技媒体残高を超える景品をさらに抽出し、前記リスト提示手段は、前記交換候補リスト抽出手段によって抽出された交換候補リストとともに、前記遊技媒体残高を超える景品及びその超過数を提示することを特徴とする。
【手続補正５】
【補正対象書類名】明細書
【補正対象項目名】００１４
【補正方法】変更
【補正の内容】
【００１４】
また、本発明に係る景品交換方法は、遊技客によって獲得された遊技媒体数を遊技媒体残高として管理する管理装置と、前記遊技客が利用する端末装置との間で遊技媒体を利用した景品交換サービスを仲介する交換仲介装置を有する景品交換システムに用いる景品交換方法であって、前記交換仲介装置が、前記管理装置から前記遊技媒体残高を取得する遊技媒体残高取得工程と、前記遊技媒体残高取得工程によって取得された遊技媒体残高に対して所定の範囲内で交換可能な景品のうち所定の抽出条件を満たすものを交換候補リストとして抽出する交換候補リスト抽出工程と、前記交換候補リスト抽出工程によって抽出された交換候補リストを前記端末装置に提示するリスト提示工程とを含んだことを特徴とする。
【手続補正６】
【補正対象書類名】明細書
【補正対象項目名】００１５
【補正方法】変更
【補正の内容】
【００１５】
本発明によれば、交換仲介装置が、管理装置から遊技媒体残高を取得し、該取得した遊技媒体残高に対して所定の範囲内で交換可能な景品のうち所定の抽出条件を満たすものを交換候補リストとして抽出し、該抽出した交換候補リストを端末装置に提示するように構成したので、遊技客は適正な選択数に絞り込まれた交換候補となる景品から希望する景品を選択することができ、景品選択に係る利便性を向上させることが可能な景品交換システム及び景品交換方法が得られるという効果を奏する。
【手続補正７】
【補正対象書類名】明細書
【補正対象項目名】００１７
【補正方法】変更
【補正の内容】
【００１７】
また、本発明によれば、交換仲介装置又は管理装置が、遊技店の会員ごとに当該会員が遊技を行った遊技機種を遊技履歴として蓄積しておき、交換候補リストとして、遊技履歴として蓄積しておいた遊技機種と関連する景品を優先的に抽出するように構成したので、遊技客個人の遊技嗜好に適合した景品を交換候補リストとして提示することができ、景品交換に係る利便性を飛躍的に向上させることが可能な景品交換システムが得られるという効果を奏する。
【手続補正８】
【補正対象書類名】明細書
【補正対象項目名】００１８
【補正方法】変更
【補正の内容】
【００１８】
また、本発明によれば、遊技媒体残高を超える景品をさらに抽出し、該抽出した交換候補リストとともに、遊技媒体残高を超える景品及びその超過数を提示するように構成したので、遊技客の来店意欲を高めることができ、遊技店に対する貢献度が高い会員を増加させることが可能な景品交換システムが得られるという効果を奏する。
【手続補正書】
【提出日】平成21年12月21日(2009.12.21)
【手続補正１】
【補正対象書類名】明細書
【補正対象項目名】００１１
【補正方法】変更
【補正の内容】
【００１１】
特許文献２のヒーリングボックスは上記のような効果があるので望ましいといえる。しかしながらこの文献技術は、発光ダイオード（ＬＥＤ）の発光エネルギを有効活用して癒し効果を高めることについて何も技術開示していない。さらに、心理学・精神医学・生理学等の観点から有意な効果を導き出すということについても、特許文献２にはそれに関する技術示唆がみられない。
【手続補正２】
【補正対象書類名】明細書
【補正対象項目名】００１５
【補正方法】変更
【補正の内容】
【００１５】
(01)本発明に係るヒーリング器具は所期の目的を達成するための第一の課題解決手段として下記の技術内容を特徴とする。すなわち第一の課題解決手段は、ケーシングと光発生手段とを備えていること、および、ケーシングが角錐反射面・円錐反射面・放物反射面のうちのいずれかからなる光反射面と光を透過させることのできる光透過面とで囲われた内部空間を有していること、および、光発生手段が光発射部を有していてケーシング内部空間の光反射面に向けて光を発射するための発光ダイオードがその光発射部に装備されていること、および、ケーシングの内部空間に光発生手段の光発射部が配置されて発光ダイオードがケーシング内部空間の光反射面に向けられているとともに当該光発射部がケーシング内に保持されていることを特徴とする。
(02)本発明に係るヒーリング器具は所期の目的を達成するための第二の課題解決手段として下記の技術内容を特徴とする。すなわち第二の課題解決手段は、ケーシングと光発生手段と透明部材とを備えていること、および、ケーシングが角錐反射面・円錐反射面・放物反射面のうちのいずれかからなる光反射面と光を透過させることのできる光透過面とで囲われた内部空間を有していること、および、光発生手段が光発射部を有していてケーシング内部空間の光反射面に向けて光を発射するための発光ダイオードがその光発射部に装備されていること、および、透明部材が透明球体と透明多面体のうちから選択される一つ以上のものであること、および、ケーシングの内部空間に光発生手段の光発射部が配置されて発光ダイオードがケーシング内部空間の光反射面に向けられているとともに当該光発射部がケーシング内に保持されていること、および、ケーシングの内部空間において、光発射部の前方・光発射部と同位置・光発射部の後方のうちから選択されたいずれか一つ以上の位置に透明部材が配置されて当該透明部材がケーシング内に保持されていることを特徴とする。
(03)本発明に係るヒーリング器具は所期の目的を達成するための第三の課題解決手段として下記の技術内容を特徴とする。すなわち第三の課題解決手段は、上記(01)〜(02)のいずれかに記載されたものにおいて、光発生手段の光発射部には互いに異色の光を発するための複数種の発光ダイオードが装備されていることを特徴とする。
(04)本発明に係るヒーリング器具は所期の目的を達成するための第四の課題解決手段として下記の技術内容を特徴とする。すなわち第四の課題解決手段は、上記(01)〜(03)のいずれかに記載されたものにおいて、ケーシングが、内外に組み合わされて合体されたインナボックスとアウタボックスとからなり、そのうちのインナボックスが内部空間を有するものであることを特徴とする。
(05)本発明に係る照明器具は所期の目的を達成するための第五の課題解決手段として下記の技術内容を特徴とする。すなわち第五の課題解決手段は、上記(01)〜(04)のいずれかに記載されたヒーリング器具と照明手段との組み合わせからなるものであること、および、照明手段が照明用のランプを備えていること、および、ケーシングにおける内部空間の内部と内部空間の外部とのうち、そのいずれか一つ以上の部位に照明用のランプが装備されていることを特徴とする。
(06)本発明に係るヒーリング装置は所期の目的を達成するための第六の課題解決手段として下記の技術内容を特徴とする。すなわち第六の課題解決手段は、上記(01)〜(04)のいずれかに記載されたヒーリング器具とヒーリング室構造体との組み合わせからなるものであること、および、ヒーリング室構造体が人の在室することのできる室内空間を有していること、および、ケーシングの光透過面がヒーリング室構造体の端部にあてがわれてヒーリング器具がヒーリング室構造体に連結されていることを特徴とする。
(07)本発明に係るヒーリング装置は所期の目的を達成するための第七の課題解決手段として下記の技術内容を特徴とする。すなわち第七の課題解決手段は、上記(05)に記載された照明器具とヒーリング室構造体との組み合わせからなるものであること、および、ヒーリング室構造体が人の在室することのできる室内空間を有していること、および、ケーシングの光透過面がヒーリング室構造体の端部にあてがわれて照明器具がヒーリング室構造体に連結されていることを特徴とする。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
Ｘ線照射手段が対象物に照射したＸ線の累積被曝量を、計測手段により計測されたＸ線の照射時間と、前記Ｘ線照射手段の単位時間あたりのＸ線照射量を定めるパラメータと、を用いて推定する推定手段と、
前記対象物に対するＸ線照射において許容されるＸ線の被曝量を示す最大被曝量と、前記累積被曝量と、の差分により、前記対象物に対してＸ線の照射が可能な残りの被曝量を示す許容残被曝量を算出する許容残被曝量算出手段と、
前記対象物に対するＸ線照射において予め定められたＸ線照射予定時間と、前記対象物に照射したＸ線の実照射時間との差分により、前記Ｘ線照射予定時間の終了までの残りの時間を示すＸ線照射許容時間を算出するＸ線照射許容時間算出手段と、
前記許容残被曝量と、前記Ｘ線照射許容時間と、を用いて前記Ｘ線照射許容時間内に、一定の照射線量でＸ線を照射した場合、前記Ｘ線照射許容時間内におけるＸ線の累積被曝量が前記許容残被曝量となる単位時間あたりのＸ線照射基準量を算出するＸ線照射基準量算出手段と、
前記Ｘ線照射許容時間内の単位時間あたりのＸ線照射量を前記Ｘ線照射基準量に設定し、前記対象物に対する前記Ｘ線照射手段のＸ線照射を制御する制御手段と
を備えることを特徴とするＸ線撮影装置。
【請求項２】
前記制御手段は、前記Ｘ線照射基準量と、予め定められている単位時間あたりの最低Ｘ線照射量と、の差分が予め定められた基準を下まわった場合に、
前記Ｘ線照射許容時間内の単位時間あたりのＸ線照射量を前記最低Ｘ線照射量に設定することを特徴とする請求項１に記載のＸ線撮影装置。
【請求項３】
単位時間あたりのＸ線照射量を手動で設定するか自動設定するかを選択する選択手段を更に備え、
前記選択手段により前記手動の設定が選択された場合に、前記制御手段は、前記Ｘ線照射許容時間内のＸ線照射量を前記手動で設定された単位時間あたりのＸ線照射量に設定することを特徴とする請求項１に記載のＸ線撮影装置。
【請求項４】
前記Ｘ線照射許容時間内において、前記手動により設定された前記Ｘ線照射量が前記Ｘ線照射基準量を継続して超過した場合に、前記Ｘ線照射基準量を継続して超過したＸ線の照射時間を示し、前記計測手段により計測された過剰照射時間が、予め定めた基準時間を超えたか否かを判断する判断手段と、
前記過剰照射時間が予め定めた前記基準時間を超えた場合に、過剰照射の警告を発する報知手段と、
を更に備えることを特徴とする請求項３に記載のＸ線撮影装置。
【請求項５】
前記判断手段の判断結果により、前記過剰照射時間が予め定めた前記基準時間を超えた場合に、
前記推定手段は、前記Ｘ線照射手段によるＸ線の照射開始から前記基準時間を経過するまでのＸ線の照射時間に前記対象物に照射されたＸ線の累積被曝量を、前記計測手段により計測された前記Ｘ線の照射開始から前記基準時間を経過するまでのＸ線の照射時間と、前記Ｘ線照射手段の単位時間あたりのＸ線照射量を定めるパラメータと、を用いて再度推定し、
前記許容残被曝量算出手段は、前記最大被曝量と、再度推定された前記累積被曝量と、の差分により許容残被曝量を再度算出し、
前記Ｘ線照射許容時間算出手段は、前記Ｘ線照射予定時間と、前記Ｘ線の照射開始から前記基準時間を経過するまでのＸ線の照射時間と、の差分により、前記Ｘ線照射予定時間の終了までの残りの時間を示すＸ線照射許容時間を再度算出し、
前記Ｘ線照射基準量算出手段は、再度算出された前記許容残被曝量と、再度算出された前記Ｘ線照射許容時間と、を用いて再度算出された前記Ｘ線照射許容時間内に、一定の照射線量でＸ線を照射した場合、再度算出された前記Ｘ線照射許容時間内におけるＸ線の累積被曝量が前記再度算出された前記許容残被曝量となる単位時間あたりのＸ線照射基準量を再度算出し、
前記制御手段は、再度算出された前記Ｘ線照射許容時間内のＸ線照射量を、再度算出された前記Ｘ線照射基準量に設定することを特徴とする請求項４に記載のＸ線撮影装置。
【手続補正２】
【補正対象書類名】明細書
【補正対象項目名】０００６
【補正方法】変更
【補正の内容】
【０００６】
本発明に係るＸ線撮影装置は、Ｘ線照射手段が対象物に照射したＸ線の累積被曝量を、計測手段により計測されたＸ線の照射時間と、前記Ｘ線照射手段の単位時間あたりのＸ線照射量を定めるパラメータと、を用いて推定する推定手段と、
前記対象物に対するＸ線照射において許容されるＸ線の被曝量を示す最大被曝量と、前記累積被曝量と、の差分により、前記対象物に対してＸ線の照射が可能な残りの被曝量を示す許容残被曝量を算出する許容残被曝量算出手段と、
前記対象物に対するＸ線照射において予め定められたＸ線照射予定時間と、前記対象物に照射したＸ線の実照射時間との差分により、前記Ｘ線照射予定時間の終了までの残りの時間を示すＸ線照射許容時間を算出するＸ線照射許容時間算出手段と、
前記許容残被曝量と、前記Ｘ線照射許容時間と、を用いて前記Ｘ線照射許容時間内に、一定の照射線量でＸ線を照射した場合、前記Ｘ線照射許容時間内におけるＸ線の累積被曝量が前記許容残被曝量となる単位時間あたりのＸ線照射基準量を算出するＸ線照射基準量算出手段と、
前記Ｘ線照射許容時間内の単位時間あたりのＸ線照射量を前記Ｘ線照射基準量に設定し、前記対象物に対する前記Ｘ線照射手段のＸ線照射を制御する制御手段と
を備えることを特徴とする。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに特別図柄表示手段にて特別図柄の変動表示を行って特定の図柄を停止表示する遊技機において、
前記特別図柄の変動表示を開始してから停止表示するまでの変動時間にて前記特別図柄の変動表示を行い、前記当落判定手段の判定結果を表示制御する特別図柄制御手段と、
前記特別図柄表示手段とは別個の演出表示手段にて少なくとも前記当落判定手段の判定結果にもとづく演出表示を表示制御する演出表示制御手段と、を備え、
前記演出表示制御手段は、前記特別図柄の変動表示の開始に伴ってドラマ化された一連の演出表示を行うにあたり、前記特別図柄の変動時間の経過に合わせて前記当落判定手段の判定結果を通知するとともに、前記利益付与状態の実行時間の経過後に前記特別図柄の変動時間が経過するまでの演出内容を継承した演出表示を行うことを特徴とする遊技機。
【請求項２】
前記利益付与状態終了後の遊技状態を前記当落判定手段により遊技者に利益を付与すると判定する割合が高い高確率状態に制御するか否か判定する高確率状態判定手段と、
前記高確率状態判定手段により前記高確率状態に制御する判定がなされたとき、前記利益付与状態終了後に前記高確率状態に制御する高確率状態制御手段と、
前記高確率状態判定手段により前記高確率状態に制御しない判定がなされたとき、前記利益付与状態終了後に前記高確率状態とは異なる通常状態に制御する通常状態制御手段と、をさらに備え、
前記演出表示制御手段は、前記高確率状態判定手段により前記高確率状態に制御する判定がなされたとき、前記特別図柄の変動時間の経過に合わせて前記当落判定手段の判定結果を通知するとともに、前記利益付与状態の実行時間の経過後に前記特別図柄の変動時間が経過するまでの演出内容を継承した演出表示を行うことを特徴とする請求項１記載の遊技機。
【請求項３】
始動口への入球が所定数を上限として一旦保留される保留手段と、
前記始動口への遊技球の入球率を可変とする入球率可変手段と、
前記利益付与状態終了後の遊技状態を前記入球率可変手段により前記始動口への入球率が高められる高入球率状態に制御するか否か判定する高入球率状態判定手段と、
前記高入球率状態判定手段により前記高入球率状態に制御する判定がなされたとき、前記利益付与状態終了後に前記高入球率状態に制御する高入球率状態制御手段と、をさらに備え、
前記特別図柄制御手段は、前記保留手段により前記始動口への入球が保留されたとき、前記特別図柄の変動表示および／または前記利益付与状態にかかる演出表示の終了により前記所定の判定条件が成立し、次回の特別図柄の変動表示制御を開始するものであり、
前記演出表示制御手段は、前記高入球率状態判定手段により前記高入球率状態に制御する判定がなされたとき、前記特別図柄の変動時間の経過に合わせて前記当落判定手段の判定結果を通知するとともに、前記利益付与状態の実行時間の経過後に前記特別図柄の変動時間が経過するまでの演出内容を継承した演出表示を行うことを特徴とする請求項１または請求項２に記載の遊技機。
【手続補正書】
【提出日】平成22年2月17日(2010.2.17)
【手続補正１】
【補正対象書類名】明細書
【補正対象項目名】００６３
【補正方法】変更
【補正の内容】
【００６３】
伝動軸３３２は、ハウジング２２’に取り付けられた支持部材２２６によって水平軸線Ｏ３周りに回転可能に支持されている。支持部材２２６とハウジング２２’との間は図示しないシール部材によって気密シールされている。
【手続補正２】
【補正対象書類名】明細書
【補正対象項目名】００７４
【補正方法】変更
【補正の内容】
【００７４】
次に、取付ボルト５２を緩めて第１の係合部材３７を第１の連係部材３５から取り外し、この第１の係合部材３７を、ハウジング２２’の開口２２２およびガイド部材３１の開口３１３Ａ，３１４Ａを通じて上方に引き抜く。これにより、第１の伝動軸２５と第１の連係部材３５との連係が解除される。次に、取付ボルト５３を緩めて第２の係合部材３８を第２の連係部材３６から取り外し、この第２の係合部材３８を、ハウジング２２’の開口２２２およびガイド部材３１の開口３１３Ａ，３１４Ａを通じて上方に引き抜く。これにより、第２の伝動軸２６と第２の連係部材３６との連係が解除される。
【手続補正書】
【提出日】平成21年11月19日(2009.11.19)
【手続補正１】
【補正対象書類名】明細書
【補正対象項目名】００４５
【補正方法】変更
【補正の内容】
【００４５】
【図１】本発明の実施例における、射出成形機の正面図である。
【図２】同上、射出成形機の平面図である。
【図３】同上、ブラケットの正面図である。
【図４】同上、ブラケットの平面図である。
【図５】同上、ブラケットの側面図である。
【図６】同上、ボールプランジャの構成を示す、（ａ）正面図、（ｂ）断面図である。
【図７】同上、台座の構成を示す、（ａ）斜視図、（ｂ）下面図、（ｃ）断面図である。
【図８】同上、射出成形機に取り付けた操作盤の正面図である。
【図９】同上、射出成形機に取り付けた操作盤の平面図である。
【図１０】同上、射出成形機に取り付けた操作盤の側面図である。
【図１１】同上、旋回動作を行っていない状態の操作盤を示す斜視図である。
【図１２】同上、水平方向に旋回させた操作盤を示す斜視図である。
【図１３】同上、起立方向に旋回させた操作盤を示す斜視図である。
【図１４】同上、水平方向及び起立方向に旋回させた操作盤を示す斜視図である。
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
矩形状の変調領域内に互いに直交する２辺に沿って複数の微小ミラーが２次元的に配列され、前記各微小ミラーが前記変調領域の互いに直交する２辺と交差する回動軸を有する空間変調素子と、
前記微小ミラーの回転軸に直交し、且つ前記空間変調素子の基準面の法線に対して前記微小ミラーの振り角の２倍の角度に入射光軸が設定されたレーザ光源と、前記空間変調素子で所定形状に整形されたレーザ光を修正対象となる基板に結像させる対物レンズと、
前記空間変調素子に入射する光軸と、前記空間変調素子と前記対物レンズとの間の光軸の全てが前記対物レンズの光軸を通る同一平面内に配置され前記レーザ光を前記基板に照射する照射光学系と、
備えたことを特徴とするレーザ加工装置。
【請求項２】
前記照射光学系は、前記レーザ光源および前記空間変調素子を一体に組み込んだ第１の光学ブロックと、前記対物レンズを組み込んだ第２の光学ブロックで構成され、前記第１の光学ブロックと前記第２の光学ブロックとの間に前記第１の光学ブロックを前記対物レンズの光軸回りに回転させる回転機構が設けられることを特徴とする請求項１に記載のレーザ加工装置。
【請求項３】
前記第１の光学ブロックは、更に前記対物レンズの光軸延長上に前記照明光学系を水平方向に分岐させる半透鏡を介して撮像部が組み込まれ、前記対物レンズと前記半透鏡との間の共通光軸回りに前記回転機構により前記第１の光学ブロックが回転可能に設けられることを特徴とする請求項２記載のレーザ加工装置。
【請求項４】
前記回転機構は、前記撮像部で撮像された欠陥画像データを解析して得た欠陥の延存在方向が前記撮像部の矩形撮像面の辺に平行になるように前記第１の光学ブロックの回転角度を設定することを特徴とする請求項３に記載のレーザ加工装置。
【請求項５】
前記回転機構は、前記撮像部で撮像された欠陥画像データを解析して得た欠陥を囲む矩形の辺が前記撮像部の矩形撮像面の辺に平行になるように前記第１の光学ブロックの回転角度を設定することを特徴とする請求項３に記載のレーザ加工装置。
【請求項６】
前記回転機構は、前記基板の載置位置のずれ量に合わせて前記第１の光学ブロックを回転させて前記ずれ量補正することを特徴とする請求項３に記載のレーザ加工装置。
【請求項７】
前記回転機構は、前記欠陥の形状に応じて前記第１の光学ブロックを回転させて前記撮像部の回転方向を調整することを特徴とする請求項３に記載のレーザ加工装置。
【請求項８】
前記回転機構は、前記基板に形成される回路パターンの縦横の配置に応じて前記第１の光学ブロックを前記対物レンズの光軸回りに９０°回転させることを特徴とする請求項３記載のレーザ加工装置。
【請求項９】
前記空間変調素子は、基板に対応した加工形状に基いて変調データを生成することを特徴とする請求項１または２に記載のレーザ加工装置。
【手続補正２】
【補正対象書類名】明細書
【補正対象項目名】０００６
【補正方法】変更
【補正の内容】
【０００６】
上記の課題を解決するために、本発明のレーザ加工装置は、矩形状の変調領域内に互いに直交する２辺に沿って複数の微小ミラーが２次元的に配列され、前記各微小ミラーが前記変調領域の互いに直交する２辺と交差する回動軸を有する空間変調素子と、前記微小ミラーの回転軸に直交し、且つ前記空間変調素子の基準面の法線に対して前記微小ミラーの振り角の２倍の角度に入射光軸が設定されたレーザ光源と、前記空間変調素子で所定形状に整形されたレーザ光を修正対象となる基板に結像させる対物レンズと、前記レーザ光源と前記空間変調素子との間の光軸と、前記空間変調素子と前記対物レンズとの間の光軸の全てが前記対物レンズの光軸を通る同一平面内に配置され前記レーザ光を前記基板に照射する照射光学系と、備えたことを特徴とする。
この発明によれば、レーザ光源と前記空間変調素子との間の光軸と、前記空間変調素子と前記対物レンズとの間の照射光学系の全ての光軸を同一平面上にあるように構成することで、この光学系を構成する光学素子や光学デバイスなどの光学部品を一平面上に配列することができ、光路の折り曲げ、部品配置、取付けが容易となり、一平面に交差する方向への部材の突出を抑えてコンパクトな構成とすることができる。
【手続補正３】
【補正対象書類名】明細書
【補正対象項目名】０００７
【補正方法】変更
【補正の内容】
【０００７】
本発明のレーザ加工装置によれば、照射光学系を構成する光学部品を一平面上に配列することができるので、光路の折り曲げや部品配置が容易となり、各構成部品の部品加工や組立効率を向上することができるという効果を奏する。